(57)【特許請求の範囲】
【請求項１】
湯水を貯める貯湯タンクを設け、
前記貯湯タンクからの湯水を循環させる湯水循環路を設け、
前記湯水循環路に熱源機からの熱源媒体が流れる熱源媒体路と熱交換する熱回収用熱交換器を設け、前記湯水循環路を流れる湯水を熱回収用熱交換器により加熱可能に構成し、
給水部からの給水が流れる給水路と熱交換する熱使用用熱交換器を設け、前記熱使用用熱交換器により、前記給水路の給水を加熱して給湯部より給湯可能に構成し、
前記貯湯タンクに給水するタンク給水部と、前記貯湯タンクから排水するタンク排水部とを設け、
前記湯水循環路を流れる湯水を熱回収用熱交換器により加熱して前記貯湯タンクに貯湯する貯湯運転と、
前記熱使用用熱交換器により、前記給水路の給水を加熱して給湯部より給湯する給湯運転と、
前記タンク給水部を介して前記貯湯タンクに給水するタンク給水運転と、
前記タンク排水部を介して前記貯湯タンクから排水するタンク排水運転と
を実行する運転制御部を設けた貯湯式給湯装置であって、
前記貯湯タンクの水量を検出する水量検出手段を設け、
前記水量検出手段が検出する水量が所定値より少ない状態で、前記運転制御部における運転指令受付部が前記給湯運転の指令を受付けた場合に、
前記運転制御部が、前記タンク給水運転及び前記貯湯運転を実行した後、前記給湯運転を実行させる貯湯式給湯装置。
【請求項２】
前記運転制御部は、前記貯湯タンクの内部の水を排水した排水履歴情報を記憶する記憶部を備え、前記排水履歴情報が前記記憶部に記憶されていることを条件として、前記水量検出手段が検出する水量が所定値より少ない状態で、前記運転指令受付部が前記給湯運転指令を受付けた場合に、前記運転制御部は、前記タンク給水運転及び前記貯湯運転を実行した後、前記給湯運転を実行させる請求項１に記載の貯湯式給湯装置。
【請求項３】
前記運転制御部は、
前記タンク給水部、前記湯水循環路に接続される各機器の動作確認ができている場合には、前記給湯運転指令の後に、前記タンク給水運転及び貯湯運転を先行して実行し、
前記タンク給水部、前記湯水循環路に接続される各機器の動作確認ができていない場合には、前記給湯運転指令を無効にする試運転確認部を備える請求項１または２に記載の貯湯式給湯装置。
【請求項４】
前記貯湯タンクが開放型貯湯タンクであり、前記貯湯タンク内の水位を検出する水位検出手段を備え、前記水量検出手段は、前記水位検出手段の検出結果に基づいて、前記水量を検出する請求項１〜３のいずれかに記載の貯湯式給湯装置。
【請求項５】
前記貯湯タンクが閉封式貯湯タンクであり、前記貯湯タンクの内圧を検出する圧力検出手段を備え、前記水量検出手段は、前記圧力検出手段の検出結果に基づいて、前記水量を検出する請求項１〜３のいずれかに記載の貯湯式給湯装置。
【発明の詳細な説明】
【技術分野】
【０００１】
本発明は、湯水を貯める貯湯タンクを設け、
前記貯湯タンクからの湯水を循環させる湯水循環路を設け、
前記湯水循環路に熱源機からの熱源媒体が流れる熱源媒体路と熱交換する熱回収用熱交換器を設け、前記湯水循環路を流れる湯水を熱回収用熱交換器により加熱可能に構成し、
給湯給水部からの給水が流れる給水路と熱交換する熱使用用熱交換器を設け、前記熱使用用熱交換器により、前記給水路の給水を加熱して給湯部より給湯可能に構成し、
前記貯湯タンクに給水するタンク給水部と、前記貯湯タンクから排水するタンク排水部とを設け、
前記湯水循環路を流れる湯水を熱回収用熱交換器により加熱して前記貯湯タンクに貯湯する貯湯運転と、
前記熱使用用熱交換器により、前記給水路の給水を加熱して給湯部より給湯する給湯運転と、
前記タンク給水部を介して前記貯湯タンクに給水するタンク給水運転と、
前記タンク排水部を介して前記貯湯タンクから排水するタンク排水運転と
を実行する運転制御部を設けた貯湯式給湯装置に関する。
【背景技術】
【０００２】
上記貯湯式給湯装置として特許文献１のような貯湯式給湯装置が知られている。このような貯湯式給湯装置は、貯湯タンクや循環路が空の状態で工場から出荷されるので、所定の設置場所に設置してから、貯湯タンクや循環路に内部の空気を抜きながら加熱用の水を張り込む（タンク給水）必要がある。そこで、従来の貯湯式の給湯熱源装置では、作業者が給湯手段に設けた給湯栓を開くと共に、給水手段の給水バルブを開いて、給湯手段の給湯路を通して給湯栓から空気を抜きながら、加熱用の水を貯湯タンクや循環路に順次供給し、給湯栓から空気が排出されなくなって、水が排出されるようになると、作業者はタンク給水が完了したと判断して給湯栓を閉じるようにしている。
【０００３】
また、上記作業者の作業性を考慮して、特許文献２、３に示すように、貯湯タンクに対するタンク給水を、前記貯湯式給湯装置の電源投入に連動して行うことが考えられ、具体的には、特許文献４に示すように、各配管毎の給水手順を制御装置に記憶させておき、自動的にタンク給水を行えるようにすることが考えられる。
【０００４】
また、このようなタンク給水作業は、通常、前記貯湯式給湯装置の設置時に、その貯湯式給湯装置の配管配線等の試験および運転条件設定のための起動試験（試運転）の際に一度行えば、通常貯湯タンクへの給水は完了されており、上記貯湯運転を実行することで、給湯運転が可能な状態になる。
【先行技術文献】
【特許文献】
【０００５】
【特許文献１】特開２００８−２４１１２６号公報
【特許文献２】特開２００６−２５０５０７号公報
【特許文献３】特開２００８−１１６１４６号公報
【特許文献４】特開２００２−００５５２８号公報
【発明の概要】
【発明が解決しようとする課題】
【０００６】
しかし、前記貯湯式給湯装置を建売住宅等に設置しておく場合等、試運転から実使用までの期間が長い場合、や、貯湯式給湯装置の使用者が、長期的に家を留守にする等、前記貯湯式給湯装置が長期にわたって使用されない場合には、前記貯湯タンクや配管中に残留する水に雑菌が繁殖して不衛生になるおそれや、凍結による破損のおそれがあるために、一旦貯湯タンクや配管から水を抜く（タンク排水）という管理方法が採用されている。
【０００７】
このような管理方法を採用すると、タンク排水後の貯湯タンクにタンク給水を行う作業者は、貯湯式給湯装置の使用者あるいは建売住宅の監理者ということになる。
すると、これら作業者は、通常貯湯式給湯装置に関して専門的知識を備えているわけではないうえに、貯湯式給湯装置の起動時とは異なり、前記貯湯タンクが空であるとは限らず、その貯湯状況を把握してからタンク給水作業を行わねばならないなど、タンク給水手順等を把握するのに高度な困難性を要し、利便性にかけるという問題点があった。一方、貯湯式給湯装置の使用者は、給湯指令を装置に入力すれば、給湯を受けられると考えるのが通常であるが、上述の運用にしたがってタンク排水を行った場合、給湯用の熱源は、前記貯湯タンクの中の湯水であるため、給水を加熱する動作が行えず、給湯動作ができなかった。
【０００８】
本発明の目的は、上記実情に鑑み、通常貯湯式給湯装置に関して専門的知識を備えていない作業者であっても、貯湯タンクへの給水作業の要否を意識することなく、利便性高く使用することができる貯湯式給湯装置を提供することにある。
【課題を解決するための手段】
【０００９】
〔構成〕
そこで、本発明の貯湯式給湯装置の特徴構成は、湯水を貯める貯湯タンクを設け、
前記貯湯タンクからの湯水を循環させる湯水循環路を設け、
前記湯水循環路に熱源機からの熱源媒体が流れる熱源媒体路と熱交換する熱回収用熱交換器を設け、前記湯水循環路を流れる湯水を熱回収用熱交換器により加熱可能に構成し、
給水部からの給水が流れる給水路と熱交換する熱使用用熱交換器を設け、前記熱使用用熱交換器により、前記給水路の給水を加熱して給湯部より給湯可能に構成し、
前記貯湯タンクに給水するタンク給水部と、前記貯湯タンクから排水するタンク排水部とを設け、
前記湯水循環路を流れる湯水を熱回収用熱交換器により加熱して前記貯湯タンクに貯湯する貯湯運転と、
前記熱使用用熱交換器により、前記給水路の給水を加熱して給湯部より給湯する給湯運転と、
前記タンク給水部を介して前記貯湯タンクに給水するタンク給水運転と、
前記タンク排水部を介して前記貯湯タンクから排水するタンク排水運転と
を実行する運転制御部を設けた貯湯式給湯装置であって、
前記貯湯タンクの水量を検出する水量検出手段を設け、
前記水量検出手段が検出する水量が所定値より少ない状態で、前記運転制御部における運転指令受付部が前記給湯運転の指令を受付けた場合に、
前記運転制御部が、前記タンク給水運転及び前記貯湯運転を実行した後、前記給湯運転を実行させる点にある。
【００１０】
〔作用効果〕
つまり、上述の構成において、前記貯湯タンクは、前記タンク給水部により給水され（タンク給水運転が行え）、その水は、湯水循環路に循環され、前記熱回収用熱交換器、熱源媒体路を介して前記熱源機により加熱されるので、前記貯湯タンクにて加熱状態の湯水を貯留できる（貯湯運転が行われる）構成となっている。また、前記熱使用用熱交換器を設けて、湯水循環路を介して給水路の水を前記貯湯タンクの湯水の熱により加熱して、給湯利用することができる（給湯運転できる）ようになっている。また、排水部を設けてなるので、貯湯式給湯装置の不使用時には、前記貯湯タンク内の湯水を排出して（タンク排水運転を行い）、装置内部を衛生的に維持することができる構成となっている。
【００１１】
上述の構成において、前記タンク排水運転を行うと、前記貯湯タンク、前記湯水循環路が空になる。この状態で、給湯運転指令が行われると、前記運転制御部は、前記給水部に給水させ、同時に前記貯湯タンクおよび湯水循環路に湯水を循環させようとする。すると、循環させるべき湯水が存在しない状態で給水部の給水が行われるから、前記給湯が行えず、仮に、このとき熱源機からの熱供給を行う条件となっていると、前記湯水循環路は空焚き状態になるおそれがある。この状態を、前記貯湯タンクの水量を検出する水量検出手段を設けて、検出するため、給湯運転指令に基き給水しか行えない状態を知ることができる。この水量検出手段の検出結果を踏まえて、即座に給湯運転を行わず、まず、タンク給水運転を行うとともに、貯湯運転を行うから、給湯運転指令に対して、単に熱回収用熱交換器に給湯を目的として給水する不都合を回避する運転を行うことができる。そして、貯湯タンクに対して給水した後、その貯湯タンク内の水を加熱して貯湯状態とすれば、前記給湯運転が実行でき、前記給湯部に給湯可能な状態が実現する。
【００１２】
したがって、貯湯式給湯装置の使用者は、前記貯湯タンクが貯湯状態か意識することなく、給湯を開始することができ、貯湯式給湯装置を利便性高く、速やか、かつ、安全に使用することができる。
【００１３】
〔構成〕
また、前記運転制御部は、前記貯湯タンクの内部の水を排水した排水履歴情報を記憶する記憶部を備えることが好ましく、この場合この排水履歴情報が前記記憶部に記憶されていることを条件として、前記水量検出手段が検出する水量が所定値より少ない状態で、前記運転指令受付部が前記給湯運転指令を受付けた場合に、前記運転制御部は、前記タンク給水運転及び前記貯湯運転を実行した後、前記給湯運転を実行させるものとする。
【００１４】
〔作用効果〕
つまり、前記記憶部が、前記貯湯タンクにおいてタンク排水運転が行われたなどの排水履歴情報を記憶していることで、前記給湯運転指令に対して、前記貯湯タンクは正常運転可能な状態であること、および、前記湯水循環路が排水されており、給湯するための湯水が十分でないこと、の判断を行えることになる。この状態で、前記水量検出手段が検出する水量が所定値より少ない状態で、前記運転指令受付部が前記給湯運転指令を受付けた場合に、前記運転制御部は、前記タンク給水運転及び前記貯湯運転を実行した後、前記給湯運転を実行させれば、前記給湯運転指令に対して給湯運転を行わせることができる。
【００１５】
〔構成〕
尚、上述の構成において、前記運転制御部は、
前記タンク給水部、前記湯水循環路に接続される各機器の動作確認ができている場合には、前記給湯運転指令の後に、前記タンク給水運転及び貯湯運転を先行して実行し、
前記タンク給水部、前記湯水循環路に接続される各機器の動作確認ができていない場合には、前記給湯運転指令を無効にする
試運転確認部を備えることが望ましい。
【００１６】
〔作用効果〕
つまり、前の構成によると、給湯運転指令に基づき前記貯湯タンクの前記タンク給水運転及び前記貯湯運転を実行した後、前記給湯運転を実行させるので、給湯運転が速やかに行われるのであるが、このときの前記貯湯式給湯装置の状態が、接続されるべき機器の配管、配線等が正しく接続され、実使用が可能であることが確かめられた（試験運転された）ものであるとは限らない。たとえば、多数の貯湯式給湯装置のうち１基が試験運転漏れであった場合など、その１基に問題があった場合には、前述の運転により、その貯湯式給湯装置が誤作動する要因になってしまうおそれがある。
【００１７】
しかし、前記試験運転確認部により、少なくとも一度試運転が確認された貯湯式給湯装置は、貯湯タンクに湯水が充填されていないことを除けば、性状運転可能であるわけであるから、この場合は、給湯運転指令に対して前記タンク給水運転及び前記貯湯運転を実行して、給湯を開始することができる。
【００１８】
ただし、前記タンク給水部、前記湯水循環路に接続される各機器の動作確認ができていない場合には、上記誤動作の要因が残っていることになるから、前記給湯運転指令を無効にすることによって、より一層安全な貯湯式給湯装置の運転制御が可能になる。
【００１９】
〔構成〕
さらに、前記貯湯タンクが開放型貯湯タンクである場合、前記貯湯タンク内の水位を検出する水位検出手段を備え、前記水量検出手段は、前記水位検出手段の検出結果に基づいて、前記水量を検出する事が好ましい。また、前記貯湯タンクが閉封式貯湯タンクである場合、前記貯湯タンクの内圧を検出する圧力検出手段を備え、前記水量検出手段は、前記圧力検出手段の検出結果に基づいて、前記水量を検出することが好ましい。
【００２０】
〔作用効果〕
つまり、前記給湯運転指令を受けたときに、前記貯湯タンクは正常運転可能な状態であること、を前提とすれば、前記貯湯タンクの水量に基き運転制御部が前記給湯運転指令に基き、給湯運転を行うか、タンク給水運転及び前記貯湯運転を実行した後、前記給湯運転を行うか、給湯運転指令を無効にするかを選択することになる。この際、前記貯湯タンクの水量は、水位により検出することができ、閉封式貯湯タンクの水量は内圧により検出することができるから、簡便かつ容易に前記水量検出手段が水量を検出することができるようになる。
【図面の簡単な説明】
【００２１】
【図１】蓄熱運転における風呂装置の状態を示す図
【図２】先行湯張り運転における風呂装置の状態を示す図
【図３】先行湯張り運転及び湯張り運転における風呂装置の状態を示す図
【図４】先行湯張り運転における風呂装置の状態を示す図
【図５】先行湯張り運転における風呂装置の状態を示す図
【図６】先行湯張り運転における風呂装置の状態を示す図
【図７】給湯運転における風呂装置の状態を示す図
【図８】暖房運転における風呂装置の状態を示す図
【図９】暖房運転における風呂装置の状態を示す図
【図１０】本発明で行う給湯運転のフロー図
【発明を実施するための形態】
【００２２】
以下に、本発明の貯湯式給湯装置を説明する。尚、以下に好適な実施例を記すが、これら実施例はそれぞれ、本発明をより具体的に例示するために記載されたものであって、本発明の趣旨を逸脱しない範囲において種々変更が可能であり、本発明は、以下の記載に限定されるものではない。
【発明を実施するための最良の形態】
【００２３】
本発明に係る貯湯式給湯装置の実施形態を図面に基づいて説明する。
この貯湯式給湯装置は、図１〜図９に示すように、蓄熱水Ａ１としての湯水を貯留する貯湯タンク１と、その貯湯タンク１から取り出した蓄熱水Ａ１を湯水循環路２にて循環させて貯湯タンク１に戻す湯水循環手段３とが設けられている。
【００２４】
尚、図１〜図９では、流体の通流状態を太線及び矢印にて示している。そして、図１〜図９は、流体が通流する部分が異なるだけでその他の構成については同様の構成を示している。
【００２５】
湯水循環路２には、熱電併給装置４を熱源機としてその排熱を搬送する熱源媒体にて湯水循環路２を通流する蓄熱水Ａ１を加熱する熱回収用熱交換器５、及び、その熱回収用熱交換器５を通過した後の蓄熱水Ａ１を放熱させる熱使用用熱交換器６が設けられている。
【００２６】
熱電併給装置４は、例えば、都市ガスを燃料とするガスエンジンや燃料電池を備えたものであり、排熱搬送流体としての熱源媒体Ａ２がガスエンジンや燃料電池での排熱を回収するように構成されている。熱回収用熱交換器５と熱電併給装置４との間で熱源媒体Ａ２を循環する冷却水循環路７が設けられ、この冷却水循環路７に冷却水循環ポンプ８が設けられている。
【００２７】
冷却水循環路７には、熱電併給装置４から熱回収用熱交換器５に供給する熱源媒体Ａ２の温度を検出する冷却水往き温度センサ９、熱電併給装置４から熱回収用熱交換器５に供給する熱源媒体Ａ２の流量を検出する冷却水流量センサ１０、及び、熱回収用熱交換器５から熱電併給装置４に戻す熱源媒体Ａ２の温度を検出する冷却水戻り温度センサ１１が設けられている。
【００２８】
貯湯タンク１は、通常の貯湯状態において、貯留する蓄熱水Ａ１の上面よりも高い位置に大気に通じる開口を有する大気開放型に構成されている。貯湯タンク１には、蓄熱水Ａ１を補給するために補給路Ｗ１及び補給弁Ｗ２が設けられ、タンク給水部ＷＦを構成する。下限水位センサＷＬにて蓄熱水Ａ１の水位が下限水位ＬＷＬ未満になったことを検出すると、補給弁Ｗ２を開弁して補給路Ｗ１にて貯湯タンク１に蓄熱水Ａ１を補給する。そして、上限水位センサＷＨにて蓄熱水Ａ１の水位が上限水位ＨＷＬになったことを検出すると、補給弁Ｗ２を閉弁して補給路Ｗ１にて貯湯タンク１への蓄熱水Ａ１の補給を停止する（タンク給水運転）。
【００２９】
また、前記貯湯タンク１には蓄熱水Ａ１を排水するための排水路Ｗ３および排水弁Ｗ４が設けられ、タンク排水部ＷＤを構成する。このタンク排水部は、メンテナンスや、貯湯式給湯装置の使用者が長期にわたって貯湯式給湯装置を使用しないときに、内部の水に雑菌が繁殖して不衛生になるのを防止する目的で、貯湯タンク１内部の蓄熱水Ａ１を前記排水弁を開弁して前記排水路Ｗ３より排水する（タンク排水運転）。
【００３０】
湯水循環路２は、貯湯タンク１の上部及び下部に接続されており、湯水循環手段３は、貯湯タンク１の上部から蓄熱水Ａ１を取り出して貯湯タンク１の下部に蓄熱水Ａ１を戻すように構成されている。
貯湯タンク１から湯水循環路２に取り出した蓄熱水Ａ１を熱回収用熱交換器５をバイパスさせて熱使用用熱交換器６に通流させる排熱熱交換器バイパス路１３が設けられている。この排熱熱交換器バイパス路１３には、蓄熱水Ａ１を通流させるか否か及びその流量を調整可能なバイパス路調整弁１８が設けられている。
【００３１】
湯水循環手段３は、湯水循環ポンプ１２及びバイパス路調整弁１８を備えて構成されている。湯水循環手段３は、貯湯タンク１から取り出した蓄熱水Ａ１の全量を熱回収用熱交換器５に通流させる形態で蓄熱水Ａ１を循環させる全通流状態（例えば図２の太線部）と、貯湯タンク１から取り出した蓄熱水Ａ１の一部を排熱熱交換器バイパス路１３に通流させる形態で蓄熱水Ａ１を循環させる一部通流状態（例えば図４の太線部）とに切換自在に構成されている。つまり、湯水循環手段３は、バイパス路調整弁１８を閉弁した状態で湯水循環ポンプ１２を作動させることにより、全通流状態に切り換える。また、湯水循環手段３は、バイパス路調整弁１８を開弁した状態で湯水循環ポンプ１２を作動させることにより、一部通流状態に切り換える。
【００３２】
排熱熱交換器バイパス路１３には、通流する蓄熱水Ａ１を加熱する加熱作動を実行可能な補助加熱手段１４が設けられている。補助加熱手段１４は、ガスバーナ１５を燃焼させて蓄熱水Ａ１を加熱するように構成されている。ガスバーナ１５に都市ガス等の燃料ガスを供給する燃料ガス供給路１６には、ガスバーナ１５に燃料ガスを供給するか否か及びその燃料ガス供給量を調整自在な燃料ガス調整弁１７が設けられている。補助加熱手段１４は、燃料ガス調整弁１７を開弁してガスバーナ１５を燃焼させることにより加熱作動を実行可能に構成されている。
【００３３】
湯水循環路２には、蓄熱水Ａ１の通流方向の上流側から、貯湯タンク１から取り出す蓄熱水Ａ１の温度を検出する第１蓄熱水温度センサ２５、排熱熱交換器バイパス路１３との接続箇所に通流する蓄熱水Ａ１の温度を検出する第２蓄熱水温度センサ２６、湯水循環ポンプ１２、熱回収用熱交換器５に通流する蓄熱水Ａ１の流量を調整自在な第１蓄熱水流量調整弁２７、熱回収用熱交換器５、熱使用用熱交換器６としての追焚き用熱交換器２３、追焚き用熱交換器２３を通過した後の蓄熱水Ａ１の温度を検出する第３蓄熱水温度センサ２８、熱使用用熱交換器６としての給湯用熱交換器２１、給湯用熱交換器２１を通過する蓄熱水Ａ１の流量を検出する蓄熱水流量センサ２９、給湯用熱交換器２１を通過する蓄熱水Ａ１の流量を調整自在な第２蓄熱水流量調整弁３０が設けられている。
【００３４】
給湯用熱交換器２１は、給水部１９から供給されて給湯部２０に供給する給湯用の給水Ａ３を蓄熱水Ａ１の放熱対象とするように構成されている。給水部１９には、給湯用熱交換器２１に供給する給水温度を検出する給水温度センサ３１が設けられている。給湯部２０には、給湯用の給水Ａ３の通流方向において上流側から、給湯用熱交換器２１を通過する給湯用の給水Ａ３の流量を調整自在な給湯流量調整弁３２、給湯用熱交換器２１を通過した後の給湯用の給水Ａ３の温度を検出する出口温度センサ３３、給湯部２０にて給湯する給湯量を検出する給湯量センサ３４、及び、給湯部２０にて給湯する給湯温度を検出する給湯温度センサ３５が設けられている。
【００３５】
また、給水部１９からの給湯用の給水Ａ３を、給湯用熱交換器２１をバイパスして給湯部２０に供給する給湯用バイパス路３６が設けられ、その給湯用バイパス路３６を通流する給水Ａ３の流量を調整自在なバイパス流量調整弁３７が設けられている。
このようにして、給湯用熱交換器２１にて加熱された給湯用の給水Ａ３と給湯用バイパス路３６からの給湯用の給水Ａ３とを混合させて給湯部２０にて給湯するように構成されている。
【００３６】
追焚き用熱交換器２３は、追焚き用熱交換器２３を通過した後の蓄熱水Ａ１が給湯用熱交換器２１に通流するように給湯用熱交換器２１と直列状態で設けられている。追焚き用熱交換器２３は、浴槽２２との間で浴槽水Ａ４を蓄熱水Ａ１の放熱対象とするように構成されている。
【００３７】
浴槽２２と追焚き用熱交換器２３との間で浴槽水Ａ４を循環する浴槽水循環路３８が設けられている。この浴槽水循環路３８には、浴槽水Ａ４の貯留量を検出する水位センサ５２、浴槽２２から追焚き用熱交換器２３に供給する浴槽水Ａ４の温度を検出する浴槽水温度センサ３９、及び、浴槽水循環ポンプ４０が設けられている。
【００３８】
給湯部２０から分岐して浴槽２２に温水を供給する湯張り路５０が設けられている。湯張り路５０は、浴槽水循環路３８に接続されており、浴槽水循環路３８を用いて浴槽２２に温水を供給するように設けられている。湯張り路５０には、浴槽２２への温水の供給を断続する湯張り弁５１が設けられている。
【００３９】
貯湯タンク１の蓄熱水Ａ１を用いて温水を浴槽２２に供給する温水供給作動を行う温水供給手段４９が設けられている。この温水供給手段４９は、給湯用熱交換器２１、給水部１９、給湯部２０、湯張り路５０、追焚き用熱交換器２３、浴槽水循環路３８、浴槽水循環ポンプ４０等から構成されている。給湯用熱交換器２１が熱使用用熱交換器６に相当する。浴槽水循環路３８及び浴槽水循環ポンプ４０が浴槽水循環手段に相当する。
【００４０】
温水供給手段４９は、貯湯タンク１の蓄熱水Ａ１を用いて温水を浴槽２２に供給する温水供給作動を行う。温水供給手段４９は、温水供給作動として、給湯用熱交換器２１において貯湯タンク１の蓄熱水Ａ１にて給水Ａ３を加熱してその加熱した給水Ａ３を浴槽２２に供給する湯張り作動（例えば図２の太線部）、及び、追焚き用熱交換器２３において貯湯タンク１の蓄熱水Ａ１にて浴槽水循環路３８及び浴槽水循環ポンプ４０により浴槽２２との間で循環される浴槽水Ａ４を加熱する追焚き作動（例えば図３の太線部）を行うように構成されている。
【００４１】
湯張り作動では、温水供給手段４９が湯張り弁５１を開弁することにより、給湯用熱交換器２１において蓄熱水Ａ１にて加熱された給水Ａ３を給湯部２０から湯張り路５０、浴槽水循環路３８の順に通流させて浴槽２２に供給するようにしている。
追焚き作動では、温水供給手段４９が浴槽水循環ポンプ４０を作動させることにより、浴槽水Ａ４を浴槽水循環路３８にて浴槽２２と追焚き用熱交換器２３との間で循環させて追焚き用熱交換器２３において蓄熱水Ａ１にて加熱された浴槽水Ａ４を浴槽２２に供給するようにしている。
【００４２】
熱使用用熱交換器６としては、給湯用熱交換器２１及び追焚き用熱交換器２３に加えて、暖房対象空間の室内空気を放熱対象とする暖房用放熱器２４が設けられている。この暖房用放熱器２４は、例えば床暖房パネルであり、浴室暖房装置等も適応可能である。
暖房用放熱器２４は、給湯用熱交換器２１及び追焚き用熱交換器２３と並列状態で設けられている。つまり、湯水循環路２において給湯用熱交換器２１及び追焚き用熱交換器２３が設けられた部分とは並列状態で暖房用通流路４１が設けられ、この暖房用通流路４１に暖房用放熱器２４が設けられている。暖房用通流路４１は、排熱熱交換器バイパス路１３の途中部分から分岐して湯水循環路２に合流するように設けられ、排熱熱交換器バイパス路１３の一部を兼用している。
【００４３】
暖房用通流路４１には、蓄熱水Ａ１の通流方向の上流側から、暖房用放熱器２４に供給する蓄熱水Ａ１の温度を検出する暖房往き温度センサ４２、暖房用放熱器２４に蓄熱水Ａ１を供給するか否かを調整自在な熱動弁４３、及び、蓄熱水Ａ１の逆流を防止する暖房用逆止弁４４が設けられている。
【００４４】
湯水循環路２において貯湯タンク１の下部に蓄熱水Ａ１を戻す戻し部分２ａと貯湯タンク１の上部から蓄熱水Ａ１を取り出す取り出し部分２ｂとを接続する蓄熱槽バイパス路４５が設けられている。蓄熱槽バイパス路４５には、通流する蓄熱水Ａ１の温度を検出するバイパス温度センサ４６、及び、蓄熱槽バイパス路４５に蓄熱水Ａ１を通流させるか否かを調整自在な蓄熱水戻し調整弁４７が設けられている。そして、蓄熱水戻し調整弁４７を開弁させることにより、熱使用用熱交換器６を通過した後の蓄熱水Ａ１の少なくとも一部を蓄熱槽バイパス路４５に通流させるように構成されている。
【００４５】
この貯湯式給湯装置を制御する運転制御部４８は、熱源媒体Ａ２にて搬送される熱電併給装置４の排熱を貯湯タンク１に蓄熱すべく、熱電併給装置４及び湯水循環手段３を作動させる貯湯運転を行うように構成されている。運転制御部４８は、時系列的な電力負荷及び時系列的な熱負荷を管理し、時系列的な電力負荷及び時系列的な熱負荷に基づいて貯湯運転を行うように構成されている。運転制御部４８は、現在要求されている電力負荷に応じて熱電併給装置４を作動させて貯湯運転を行うように構成されている。
【００４６】
また、運転制御部４８には、運転指令受付部４８ａを設け、各機器のコントローラ（図外）からの運転指令を受ける構成とし、ＣＰＵ等からなる演算部４８ｂを設けてその運転指令を解釈するとともに、運転指令実行部４８ｃが、解釈された運転指令に基き、各機器の運転動作を決定し、所定の運転状態に合致させるべく各機器を動作させる。また、運転制御部４８には、記憶部４８ｄを設け、各機器の運転条件の設定値等が記憶されており、前記運転制御部４８による運転の履歴等が記録され、前記演算部が運転指令を解釈する際に参照可能に構成するとともに、メンテナンスの際には、作業者が参照可能に構成する。
【００４７】
時系列的な電力負荷及び時系列的な熱負荷の管理については、運転制御部４８が、１日の各時間帯（１時間ごと）の電力負荷及び熱負荷に区分けした状態で時系列的な電力負荷及び時系列的な熱負荷を管理している。運転制御部４８は、実際に使用された１日の各時間帯（１時間ごと）の電力負荷及び熱負荷に基づいて、既に記憶している１日の各時間帯（１時間ごと）の電力負荷及び熱負荷を更新して、１日の各時間帯（１時間ごと）の電力負荷及び熱負荷を学習するように構成されている。
電力負荷については、例えば、運転制御部４８が、熱電併給装置４の電力を出力するインバータの出力値、及び、テレビ、冷蔵庫、洗濯機等の電力負荷に接続された商業用電力供給ラインに設けられた電力計測手段の計測情報に基づいて、実際に使用された電力負荷を求めることができる。
熱負荷は、給湯部２０からの給湯として用いられる給湯熱負荷と、浴槽水Ａ４の追焚きに用いられる追焚き熱負荷と、暖房用放熱器２４にて用いられる暖房熱負荷とを足し合わせたものである。熱負荷については、例えば、運転制御部４８が、給湯量センサ３４及び給湯温度センサ３５の夫々の検出情報等により給湯熱負荷を求めることができ、浴槽水温度センサ３９の検出情報及び浴槽水循環ポンプ４０の作動状態等により追焚き熱負荷を求めることができ、暖房往き温度センサ３９の検出情報及び湯水循環ポンプ８の作動状態等により暖房熱負荷を求めることができる。
【００４８】
（貯湯運転）
図１に基づいて貯湯運転について説明する。
運転制御部４８は、熱電併給装置４を作動させ且つ冷却水循環ポンプ８を作動させて、熱回収用熱交換器５に熱源媒体Ａ２を通流させるように構成されている。運転制御部４８は、第１蓄熱水流量調整弁２７及び第２蓄熱水流量調整弁３０を開弁させ且つバイパス路調整弁１８を閉弁した状態で湯水循環ポンプ８を作動させることにより、湯水循環手段３を全通流状態にて作動させるように構成されている。運転制御部４８は、冷却水戻り温度センサ１１の検出温度が設定温度範囲内になるように、第１蓄熱水流量調整弁２７の開度を調整して熱回収用熱交換器５に通流する蓄熱水Ａ１の流量を調整する蓄熱水流量調整制御を行うように構成されている。尚、前記貯湯タンク１には、前のタンク給水運転により、あらかじめ水を充填しておく。
【００４９】
このようにして、貯湯タンク１の上部から取り出された蓄熱水Ａ１の全量が熱回収用熱交換器５にて加熱されて貯湯タンク１の下部に戻される。その加熱された蓄熱水Ａ１によって、貯湯タンク１に貯留された蓄熱水Ａ１を全体的に温度上昇させて貯湯タンク１に蓄熱する。
【００５０】
図２及び図３に示すように、運転制御部４８が貯湯運転を行うことにより、熱電併給装置４の排熱を貯湯タンク１に蓄熱するのであるが、運転制御部４８は、その貯湯タンク１に貯留された熱を用いて浴槽２２の湯張り状態が目標湯張り状態となるように、湯水循環手段３を作動させ且つ温水供給手段４９を温水供給作動させている。つまり、運転制御部４８は、浴槽２２の湯張り状態が目標湯張り状態となるように、湯水循環手段３を作動させ且つ温水供給手段４９を温水供給作動させる湯張り運転を行い、その湯張り運転を行うよりも先行して、浴槽の湯張り状態が目標湯張り状態に達する前の先行湯張り状態になるように温水供給手段４９を温水供給作動させる先行湯張り運転を行うように構成されている。
【００５１】
目標湯張り状態及び先行湯張り状態は、温度と貯留量とから定められている。目標湯張り温度は、浴槽に湯張り設定温度（例えば４２℃）の温水を湯張り設定量（例えば約１８０リットル）貯めた状態を目標湯張り状態としている。先行湯張り状態は、目標湯張り状態に対して浴槽水Ａ４の貯留量が同量（例えば１８０リットル）で且つ目標湯張り状態に対して浴槽水Ａ４の温度が低温の先行湯張り設定温度（例えば３５℃）となるように設定されている。先行湯張り設定温度は、例えば、２０〜３５℃に設定されている。
【００５２】
先行湯張り状態において、浴槽水Ａ４の貯留量については、目標湯張り状態に対して入浴に必要な許容範囲内の貯留量であればよく、浴槽水Ａ４の貯留量は目標湯張り状態に対して同量とするものに限らない。目標湯張り状態に対して浴槽水Ａ４の貯留量を同量や目標湯張り状態に対して入浴に必要な許容範囲内とすることにより、浴槽水Ａ４の貯留量については、先行湯張り運転を行うことにより入浴に必要な貯湯量を確保できることになる。したがって、運転制御部４８は、湯張り運転においては、単に、温水供給手段４９を追焚き作動させるだけでよく、制御構成の簡素化を図ることができる。しかも、湯張り運転では、先行湯張り状態から目標湯張り状態を満たすように浴槽水Ａ４の温度を上昇させればよいので、湯張り運転を行う為に必要となる熱量を極力少なくでき、貯湯タンク１の小型化を図る際にも有効となる。
【００５３】
運転制御部４８は、まず先行湯張り運転を行うことにより、浴槽２２の湯張り状態を先行湯張り状態とし、その後湯張り運転を行うことにより、浴槽２２の湯張り状態を目標湯張り状態とすることができる。このように、湯張り運転を行うよりも先行して、浴槽２２の湯張り状態を先行湯張り状態としておくことによって、浴槽２２の湯張り状態を目標湯張り状態とする為に必要となる熱量の一部を浴槽に貯めておくことができ、浴槽２２を蓄熱槽として用いることができる。
【００５４】
尚、上記貯湯運転は、貯湯式給湯装置が設置されて最初の検査（配管、配線の正常接続の検査等）の際に続けて行われる。この際、運転制御部による運転履歴として、運転制御部４８の記憶部４８ｄには、試運転フラグが記録される。また、前記記憶部では、前記貯湯運転の際、タンク給水部ＷＦ、各流量調整弁２７，３０等の制御部分の動作や、各種センサ２６，２８等の測定値についても運転履歴として記憶され、メンテナンスの際に用いられる。
【００５５】
また、試運転の後、何らかの理由で貯湯タンク１の水を抜かなければならなくなった時、タンク排水部ＷＤが操作されたり、タンク排水運転が指示され、湯水循環路２の湯水を排水する動作が行われた場合、前記記憶部４８ｄに排水フラグを含む排水履歴情報が記録される。
【００５６】
図２〜図６に基づいて先行湯張り運転及び湯張り運転について説明する。
【００５７】
（先行湯張り運転）
運転制御部４８は、先行湯張り運転においては、温水供給手段４９を湯張り作動（例えば図２の太線部）及び追焚き作動（例えば図３の太線部）させ、且つ、湯張り運転においては、温水供給手段４９を追焚き作動（例えば図３の太線部）させるように構成されている。
【００５８】
運転制御部４８は、先行湯張り運転において、先行湯張り状態に対して貯留量が満たないときに温水供給手段４９を湯張り作動（例えば図２の太線部）させ、先行湯張り状態に対して貯留量は満たしているが温度が満たしていないときに温水供給手段４９を追焚き作動（例えば図３の太線部）させるように構成されている。
【００５９】
図２及び図３は、熱電併給装置４を作動させていない状態での先行湯張り運転を示している。
図２では、温水供給手段４９を湯張り作動させた場合を示している。
運転制御部４８は、湯水循環手段３を全通流状態にて作動させるとともに、出口温度センサ３３の検出温度が先行湯張り設定温度（例えば３５℃）＋αになるように、蓄熱水流量センサ２９の検出流量に基づいて第２蓄熱水流量調整弁３０の開度を調整する風呂給湯温度用蓄熱水流量制御を行うように構成されている。運転制御部４８は、給湯量センサ３４の検出流量が要求されている流量となり且つ給湯温度センサ３５の検出温度が先行湯張り設定温度（例えば３５℃）になるように、給湯流量調整弁３２及びバイパス流量調整弁３７の開度を調整する風呂給湯制御を行うように構成されている。運転制御部４８は、湯張り弁５１を開弁することにより、給湯用熱交換器２１にて加熱された先行湯張り設定温度（例えば３５℃）の温水を給湯部２０から湯張り路５０、浴槽水循環路３８の順に通流させて浴槽２２に供給するように構成されている。運転制御部４８は、水位センサ５２の検出情報に基づいて、浴槽水Ａ４の貯留量が湯張り設定量となると、浴槽２２の湯張り状態が先行湯張り状態になったとして、湯張り弁５１を閉弁し且つ湯水循環手段３を作動停止させて先行湯張り運転を終了する。
【００６０】
図３では、温水供給手段４９を追焚き作動させた場合を示している。
運転制御部４８が、湯水循環手段３を全通流状態にて作動させるとともに、浴槽水循環ポンプ４０を作動させることにより、浴槽２２と追焚き用熱交換器２３との間で浴槽水Ａ４を循環させて追焚き用熱交換器２３において蓄熱水Ａ１にて浴槽水Ａ４を加熱して、その加熱された浴槽水Ａ４を浴槽２２に戻すように構成されている。運転制御部４８は、浴槽水温度センサ３９の検出温度が先行湯張り設定温度（例えば３５℃）になると、浴槽２２の湯張り状態が先行湯張り状態になったとして、湯水循環手段３及び浴槽水循環ポンプ４０を作動停止させて先行湯張り運転を終了する。
【００６１】
図４〜図６に基づいて熱電併給装置４を作動させている状態での先行湯張り運転を説明する。図４〜図６では、温水供給手段４９を湯張り作動させた場合を示している。温水供給手段４９を追焚き作動させる場合については、温水供給手段４９を湯張り作動させるか追焚き作動させるかが異なるだけであるので、図示及び説明は省略する。
【００６２】
図４では、第１蓄熱水温度センサ２５の検出温度が第１設定温度（例えば、６０℃）よりも高い場合を示している。
運転制御部４８が、冷却水循環ポンプ８を作動させて熱回収用熱交換器５に熱源媒体Ａ２を通流させるとともに、冷却水戻り温度センサ１１の検出温度が設定温度範囲内になるように第１蓄熱水流量調整弁２７の開度を調整する蓄熱水流量調整制御を行うように構成されている。また、図２で示した場合と同様に、運転制御部４８は、風呂給湯温度用蓄熱水流量制御、及び、風呂給湯制御を行うように構成されている。
湯水循環手段３については、蓄熱水流量センサ２９の検出流量が給湯用熱交換器２１にて要求されている流量を満たすときには、運転制御部４８が湯水循環手段３を全通流状態に切り換え、蓄熱水流量センサ２９の検出流量が給湯用熱交換器２１にて要求されている流量に満たないときには、運転制御部４８がバイパス路調整弁１８を開弁して湯水循環手段３を一部通流状態に切り換えるように構成されている。図４では、湯水循環手段３を一部通流状態に切り換えた場合を示している。
【００６３】
図５では、第１蓄熱水温度センサ２５の検出温度が第１設定温度よりも高い第２設定温度（例えば、７５℃）以上の場合を示している。
運転制御部４８が、湯水循環手段３を全通流状態にて作動させるとともに、冷却水循環ポンプ８を作動させて熱回収用熱交換器５に熱源媒体Ａ２を通流させるとともに、蓄熱水流量調整制御を行うように構成されている。また、運転制御部４８は、風呂給湯温度用蓄熱水流量制御、及び、風呂給湯制御を行うように構成されている。
この場合には、第１蓄熱水温度センサ２５の検出温度が第２設定温度（例えば、７５℃）以上であるので、蓄熱水流量調整制御を行っても、冷却水戻り温度センサ１１の検出温度が設定温度範囲よりも高くなってしまう場合がある。そこで、運転制御部４８は、蓄熱水戻し調整弁４７を開弁して、貯湯タンク１の上部から取り出した高温の蓄熱水Ａ１に蓄熱槽バイパス路４５からの低温の蓄熱水Ａ１を混合させて熱回収用熱交換器５に通流する蓄熱水Ａ１の温度を低下させるように構成されている。
【００６４】
図６では、第１蓄熱水温度センサ２５の検出温度が第１設定温度（例えば、６０℃）以下の場合を示している。
運転制御部４８が、第１蓄熱水流量調整弁２７、第２蓄熱水流量調整弁３０、及び、バイパス路調整弁１８の夫々を開弁して湯水循環手段３を一部通流状態に切り換え、冷却水循環ポンプ８を作動させて熱回収用熱交換器５に熱源媒体Ａ２を通流させるとともに、蓄熱水流量調整制御を行うように構成されている。そして、運転制御部４８は、燃料ガス調整弁１８を開弁させて補助加熱手段１４を加熱作動させるように構成されている。また、運転制御部４８は、風呂給湯温度用蓄熱水流量制御、及び、風呂給湯制御を行うように構成されている。
【００６５】
（湯張り運転）
図３に示すように、運転制御部４８は、湯水循環手段３を全通流状態にて作動させるとともに、浴槽水循環ポンプ４０を作動させることにより、浴槽２２と追焚き用熱交換器２３との間で浴槽水Ａ４を循環させて追焚き用熱交換器２３において蓄熱水Ａ１にて浴槽水Ａ４を加熱して、その加熱された浴槽水Ａ４を浴槽２２に戻すように構成されている。このように、運転制御部４８は、温水供給手段４９を追焚き作動させて湯張り運転を行うように構成されている。運転制御部４８は、浴槽水温度センサ３９の検出温度が湯張り設定温度（例えば４２℃）になると、湯水循環手段３及び浴槽水循環ポンプ４０を作動停止させて湯張り運転を終了する。
【００６６】
図３では、熱電併給装置４を作動させていない状態での湯張り運転を示しているが、熱電併給装置４を作動させている状態で湯張り運転を行うこともできる。つまり、図４〜図６では、温水供給手段４９を湯張り作動させているが、図４〜図６において、温水供給手段４９を追焚き作動（図３の太線部）を作動させることになる。
【００６７】
上述の如く、浴槽２２の湯張り状態を目標湯張り状態とするに当り、運転制御部４８は、まず先行湯張り運転を行い、その後湯張り運転を行っているが、先行湯張り運転をどのタイミングにて行うかについて説明する。
運転制御部４８は、貯湯運転を行うことが予測される時間帯の以前に先行湯張り運転を行うように構成されている。
【００６８】
また、運転制御部４８は、先行湯張り運転を行ってから湯張り運転を行うまでの間に貯湯運転を行うように構成されている。したがって、先行湯張り運転を行ってから湯張り運転を行うまでの間、熱電併給装置４の排熱を蓄熱槽に蓄熱することができる。そして、湯張り運転を行うときには、貯湯タンク１に十分な熱量を蓄熱させておくことができ、湯張り運転を的確に行うことができるとともに、余った熱を用いてシャワー等の給湯を行うことも可能となる。
【００６９】
このようにして、浴槽２２の湯張り状態を目標湯張り状態とするに当り、運転制御部４８は、予測した入浴時間帯よりも以前の時間帯で且つその後時系列的な電力負荷の増加が予想できる時間帯に先行湯張り運転を行い、その先行湯張り運転を終了するとともに貯湯運転を行うように構成されている。そして、運転制御部４８は、実際に入浴者が入浴して入浴指令を与えるまで貯湯運転を継続し、入浴指令が指令されると、湯張り運転を行うように構成されている。
【００７０】
運転制御部４８は、貯湯タンク１の蓄熱水Ａ１を用いて放熱する運転として、先行湯張り運転及び湯張り運転に加えて、貯湯タンク１の蓄熱水Ａ１を用いて給湯部２０から給湯する給湯運転、及び、貯湯タンク１の蓄熱水Ａ１を用いて暖房用放熱器２４において放熱する暖房運転を行うように構成されている。
【００７１】
（給湯運転）
図７に基づいて給湯運転について説明する。
運転制御部４８が、湯水循環手段３を全通流状態に切り換えるとともに、出口温度センサ３３の検出温度が給湯設定温度＋αになるように、蓄熱水流量センサ２９の検出流量に基づいて第２蓄熱水流量調整弁３０の開度を調整する給湯温度用蓄熱水流量制御を行うように構成されている。また、運転制御部４８は、給湯量センサ３４の検出流量が要求されている給湯量となり且つ給湯温度センサ３５の検出温度が給湯設定温度になるように、給湯流量調整弁３２及びバイパス流量調整弁３７の開度を調整する給湯制御を行うように構成されている。
【００７２】
前記給湯運転の給湯運転指令は、図７、１０に示すように、給湯部のコントローラ（図外）から入力され、前記運転制御部４８の運転指令受付部４８ａにおいて受け付けられる。前記運転制御部４８が前記給湯運転指令を受け付ける（＃１）と、前記水量検出手段Ｗからの水量検出情報を収集し、前記貯湯タンク１の水位を求める（＃２）。ここで、貯湯タンク１の水位が十分に高いと判断される場合（＃２高）には、前記運転制御装置４８は、運転指令実行部４８ｃにより給湯運転を行う（＃６）。ここで、前記貯湯タンク１の水位が十分に高くなく前記湯水循環路２に安定して湯水を循環させるためには水位が低いと考えられる場合（＃２低）には、前記貯湯タンク１に対して、上記タンク給水運転を行うべく、前記記憶部４８ｄに記憶された試運転フラグを読み出す（＃３）。この試運転フラグがある（あるいはＯＮ）の場合（＃３Ｙｅｓ）には、前記演算部４８ｂは、前記貯湯式給湯装置は、適切に設置され、配線、配管が正常に接続されているものと判断し、タンク給水運転を行う（＃４）。逆に前記試運転フラグがない（あるいはＯＦＦ）の場合（＃３Ｎｏ）には、前記演算部４８ｂは、前記貯湯式給湯装置は、試運転を経ていないために、適切に設置されておらず、配線、配管が正常に接続されているとは限らないものとし、前記給湯運転指令を無効にし（＃７）、タンク給水運転を行わず、エラー処理を行う。即ち、ここでは、演算部４８ｂが試運転確認部として機能する。タンク給水運転が終了すると、前記貯湯タンク１内の湯水を加熱する貯湯運転が行われる（＃５）。
【００７３】
これにより、貯湯式給湯装置の使用者は、貯湯タンク１に湯水が十分たまっているかどうかを意識することなく、給湯運転指令を行うだけで、貯湯式給湯装置が正常に使用可能な場合にのみ給湯を行うことができ、貯湯式給湯装置が正常に使用できない場合に誤って給湯指令を実行してしまうことを防止することができる。
【００７４】
図７では、熱電併給装置４が作動されていない状態での給湯運転を示しているが、先行湯張り運転及び湯張り運転の夫々と同様に、熱電併給装置４が作動されているときに給湯運転を行うこともできる。
【００７５】
（暖房運転）
図８及び図９に基づいて暖房運転について説明する。
図１０では、第１蓄熱水温度センサ２５の検出温度が暖房用蓄熱水設定温度（例えば６０℃）以上のときに熱電併給装置４を作動させて暖房運転を行う場合を示している。
運転制御部４８が、第１蓄熱水流量調整弁２７を開弁し且つ第２蓄熱水流量調整弁３０及びバイパス路調整弁１８の夫々を閉弁して湯水循環手段３を全通流状態に切り換え、冷却水循環ポンプ８を作動させて熱回収用熱交換器５に熱源媒体Ａ２を通流させるとともに、蓄熱水流量調整制御を行うように構成されている。このときには、第２蓄熱水流量調整弁３０を閉弁しているので、熱回収用熱交換器５を通過した後の蓄熱水Ａ１は、排熱熱交換器バイパス路１３に通流したのち暖房用通流路４１に通流して暖房用放熱器２４に通流する。この場合には、第１蓄熱水温度センサ２５の検出温度が暖房用蓄熱水設定温度（例えば６０℃）以上であるので、蓄熱水流量調整制御を行っても、冷却水戻り温度センサ１１の検出温度が設定温度範囲よりも高くなってしまう場合がある。そこで、運転制御部４８は、蓄熱水戻し調整弁４７を開弁して蓄熱槽バイパス路通流手段を通流作動させ、貯湯タンク１の上部から取り出した高温の蓄熱水Ａ１に蓄熱槽バイパス路４５からの低温の蓄熱水Ａ１を混合させて熱回収用熱交換器５に通流する蓄熱水Ａ１の温度を低下させるように構成されている。
【００７６】
運転制御部４８は、熱動弁４３を開弁して暖房用放熱器２４に蓄熱水Ａ１を通流させる通流状態を設定開弁時間（例えば、３分）継続した後、熱動弁４３を閉弁して暖房用放熱器２４に対する蓄熱水Ａ１の通流を停止させる通流停止状態を設定閉弁時間（例えば、１７分）の間継続させる動作を設定周期（例えば、２０分）で繰り返し行うように構成されている。そして、運転制御部４８は、通流停止状態を設定閉弁時間（例えば、１７分）の間継続させているときに、図１に示すように、第２蓄熱水流量調整弁３０を開弁させて熱回収用熱交換器５を通過した後の蓄熱水Ａ１を貯湯タンク１の下部に戻すことにより貯湯タンク１への蓄熱を行うように構成されている。このようにして、熱電併給装置４の排熱を有効に活用して、暖房運転を行いながら貯湯運転を間欠的に行うことができるので、省エネルギー化を図ることができる。
【００７７】
図９では、第１蓄熱水温度センサ２５の検出温度が暖房用蓄熱水設定温度（例えば、６０℃）未満のときに熱電併給装置４を作動させて暖房運転を行う場合を示している。
図８にて説明したのと同様に、運転制御部４８が、第１蓄熱水流量調整弁２７を開弁し且つ第２蓄熱水流量調整弁３０及びバイパス路調整弁１８の夫々を閉弁して湯水循環手段３を全通流状態に切り換え、冷却水循環ポンプ８を作動させて熱回収用熱交換器５に熱源媒体Ａ２を通流させるとともに、蓄熱水流量調整制御を行うように構成されている。この場合には、第１蓄熱水温度センサ２５の検出温度が暖房用蓄熱水設定温度（例えば、７０℃）未満であるので、暖房往き温度センサ４２の検出温度が暖房設定温度（例えば、６０℃）に満たない場合がある。そこで、運転制御部４８は、蓄熱水戻し調整弁４７を開弁して蓄熱槽バイパス路通流手段を通流作動させ、貯湯タンク１の上部から取り出した低温の蓄熱水Ａ１に蓄熱槽バイパス路４５からの高温の蓄熱水Ａ１を混合させて熱回収用熱交換器５に通流する蓄熱水Ａ１の温度を上昇させるように構成されている。また、運転制御部４８は、この通流作動を行っても暖房往き温度センサ４２の検出温度が暖房設定温度（例えば６０℃）に満たないときには、バイパス路調整弁１８を開弁して湯水循環手段３を一部通流状態に切り換えるとともに、燃料ガス調整弁１８を開弁させて補助加熱手段１４を加熱作動させるように構成されている。
【００７８】
この場合も、図８にて説明したのと同様に、運転制御部４８は、通流状態を設定開弁時間（例えば、３分）継続した後、通流停止状態を設定閉弁時間（例えば、１７分）の間継続させる動作を設定周期（例えば、２０分）で繰り返し行うように構成されている。そして、運転制御部４８は、通流停止状態を設定閉弁時間（例えば、１７分）の間継続させているときに、図１に示すように、第２蓄熱水流量調整弁３０を開弁させて熱回収用熱交換器５を通過した後の蓄熱水Ａ１を貯湯タンク１の下部に戻すことにより貯湯タンク１への蓄熱を行うように構成されている。
【００７９】
〔別実施形態〕
（１）上記実施形態では、運転制御部４８が貯湯運転を行うことにより、熱電併給装置４の排熱を貯湯タンク１に蓄熱するようにしているが、熱電併給装置４以外の熱を貯湯タンク１に蓄熱することもできる。ここで、熱電併給装置４と同様に、前記熱源媒体路内の熱源媒体を加熱する装置を熱源機と総称するものとする。
【００８０】
（２）また、上記実施形態では、給湯運転指令を無効にするかどうかの判断を試運転確認部により、試運転フラグがあるかどうか基準に行ったが、記憶部に記憶される他の運転履歴の情報を元に判断することもできる。つまり、前記記憶部が前記貯湯タンクの内部の水を排水した排水履歴情報を記憶している場合、前記排水履歴情報に排水フラグが記憶されていることを条件として、前記水量検出手段が検出する水量が所定値より少ない状態で、前記運転指令受付部が前記給湯運転指令を受付けた場合に、前記運転制御部は、前記タンク給水運転及び前記貯湯運転を実行した後、前記給湯運転を実行させる構成を採用することもできる。
【００８１】
（３）上記実施形態では、前記貯湯タンクを開放型貯湯タンクとしたが、閉封式貯湯タンクとすることもできる。この場合、前記貯湯タンクの内圧を検出する圧力検出手段を備え、前記水量検出手段は、前記圧力検出手段の検出結果に基づいて、前記水量を検出することにより貯湯タンクの水位を知ることができ、同様に給湯運転の可否についての判断を行うことができる。
【符号の説明】
【００８２】
１        貯湯タンク
２        湯水循環路
３        湯水循環手段
５        熱回収用熱交換器
２１（６）温水用熱交換器（熱使用用熱交換器）
２９      蓄熱水流量センサ
３０      第２蓄熱水流量調整弁
３２      給湯流量調整弁
３３      出口温度センサ
３４      給湯量センサ
３５      給湯温度センサ
３７      バイパス流量調整弁
４８      運転制御部
４８ａ    運転指令受付部
４８ｂ    演算部
４８ｃ    運転指令実行部
４８ｄ    記憶部
Ｗ        水量検出手段
【図１】
0005438535.tif 000002
【図２】
0005438535.tif 000003
【図３】
0005438535.tif 000004
【図４】
0005438535.tif 000005
【図５】
0005438535.tif 000006
【図６】
0005438535.tif 000007
【図７】
0005438535.tif 000008
【図８】
0005438535.tif 000009
【図９】
0005438535.tif 000010
【図１０】
0005438535.tif 000011